(57)【特許請求の範囲】
【請求項１】
鉄骨材に帯状体を介してロープを掛け渡す移動足場設置用の器具であって、
使用者によって把持される基体と、
当該基体の先端に着脱可能に取り付けられる環状のリング本体と、
前記リング本体に一端が取り付けられる前記ロープを前記基体とともに長手方向に沿うように挿通可能な挿通部を有する帯状体と、
を備え、
前記基体には、前記帯状体が前記鉄骨材に掛け渡され前記リング本体が前記基体から取り外された後に、前記リング本体を引っ掛けるためのＵ字状のフックが設けられていることを特徴とする移動足場設置用の器具。
【請求項２】
前記帯状体には、前記鉄骨材に接触する面上に突出する突起を更に備え、当該突起は磁性体であることを特徴とする請求項１に記載の移動足場設置用の器具。
【請求項３】
橋桁に予め平行に設けられている鉄骨材の下方に移動足場を設置する移動足場設置方法であって、２つの当該鉄骨材に帯状体を介して所定のロープを掛け渡し、その際に、少なくとも一方の当該鉄骨材に器具を用いて前記帯状体及びロープを掛け渡して当該ロープの両端部を連結し、当該ロープに当該ロープ上を移動可能な環状部材を介して第２のロープで吊り上げ可能に足場板を取り付けるものであって、
前記器具は、
使用者によって把持される基体と、
当該基体に着脱可能に取り付けられる環状のリング本体と、
前記リング本体に一端が取り付けられる前記ロープを前記基体とともに長手方向に沿うように挿通可能な挿通部を有する帯状体と、
を備え、
前記基体には、前記帯状体が前記鉄骨材に掛け渡され前記リング本体が前記基体から取り外された後に、前記リング本体を引っ掛けるためのＵ字状のフックが設けられており、
前記鉄骨材に前記帯状体を介して前記ロープを掛け渡す際には、
前記帯状体の挿通部に基体及び前記ロープを挿通するとともに、前記リング本体に前記ロープの一端を取り付け、
前記鉄骨材に前記帯状体を掛け渡し、
前記基体を前記リング本体から取り外すとともに前記帯状体の挿通部から引き抜き、
前記基体に設けられたフックを前記リング本体に引っ掛けて引き寄せることを特徴とする移動足場設置方法。
【請求項４】
前記帯状体には、前記鉄骨材に接触する面上に突出する突起を更に備え、当該突起は磁性体であり、
前記帯状体を前記鉄骨材へ掛け渡す際には、前記突起が下側となるように前記帯状体を配置し、且つ、前記突起を前記帯状体の後方へ配置することを特徴とする請求項３に記載の移動足場設置方法。
【発明の詳細な説明】
【技術分野】
【０００１】
本発明は、橋梁等の橋桁に架設される移動足場設置用の器具、移動足場設置方法に関する。
【背景技術】
【０００２】
橋梁の劣化検査又は補修作業等は、橋梁の下側に足場を架設して行われる。従来から、用途により異なる種々の足場が知られている（例えば、特許文献１参照）。足場の設置手法として良く用いられる一例として、橋梁の下方幅方向に足場板を掛け渡して移動足場を設置する手法が存在する。この移動足場は、例えば、２つの足場板を橋梁の下方幅方向に設置し、当該足場板を橋梁の長手方向に移動させて行う。
【先行技術文献】
【特許文献】
【０００３】
【特許文献１】特開２００８−６３７４１号公報
【発明の概要】
【発明が解決しようとする課題】
【０００４】
しかしながら、このような足場板の移動作業は、高所で且つ狭い領域でその作業を行うため、作業性が極めて悪く、危険性を伴う。また、足場板を移動させる作業は、かなり面倒で手間を要する。
【０００５】
本発明は、以上の点等に鑑みてなされたものであり、作業性がよくて安全に足場を移動可能な移動足場設置用の器具、移動足場設置方法を提供することを目的とする。
【課題を解決するための手段】
【０００６】
上記課題を解決するために、請求項１に記載の移動足場設置用の器具（３０）は、鉄骨材に帯状体を介してロープを掛け渡す移動足場設置用の器具であって、使用者によって把持される基体（３１）と、当該基体の先端に着脱可能に取り付けられる環状のリング本体（３２）と、前記リング本体に一端が取り付けられる前記ロープ（１１）を前記基体とともに長手方向に沿うように挿通可能な挿通部（３４ａ）を有する帯状体（３３）と、を備え、前記基体には、前記帯状体が前記鉄骨材に掛け渡され前記リング本体が前記基体から取り外された後に、前記リング本体を引っ掛けるためのＵ字状のフック（３６）が設けられていることを特徴とする。
【０００７】
この発明によれば、移動足場を設置する際に、高所且つ狭い領域での作業であっても安全に作業ができる。
【０００８】
また、請求項２に記載の移動足場設置用の器具は、請求項１に記載の移動足場設置用の器具において、前記帯状体には、前記鉄骨材に接触する面上に突出する突起を更に備え、当該突起は磁性体であることを特徴とする。
【０００９】
この発明によれば、移動足場を設置する過程における、帯状体を鉄骨材へ掛け渡す作業を容易に行うことができる。
【００１０】
また、請求項３に記載の移動足場設置方法は、橋桁に予め平行に設けられている鉄骨材（９ａ）の下方に移動足場を設置する移動足場設置方法であって、２つの当該鉄骨材に帯状体を介して所定のロープ（１１）を掛け渡し、その際に、少なくとも一方の当該鉄骨材に器具を用いて前記帯状体及びロープを掛け渡して当該ロープの端部を連結し、当該ロープに当該ロープ上を移動可能な環状部材（１２）を介して第２のロープ（１７）で吊り上げ可能に取り付けられた足場板（１５）を取り付けるものであって、前記器具は、使用者によって把持される基体と、当該基体に着脱可能に取り付けられる環状のリング本体と、前記リング本体に一端が取り付けられる前記ロープを前記基体とともに長手方向に沿うように挿通可能な挿通部を有する帯状体と、を備え、前記基体には、前記帯状体が前記鉄骨材に掛け渡され前記リング本体が前記基体から取り外された後に、前記リング本体を引っ掛けるためのＵ字状のフックが設けられており、前記鉄骨材に前記ロープを掛け渡す際には、前記帯状体の挿通部に基体及び前記ロープを挿通するとともに、前記リング本体に前記ロープの一端を取り付け、前記ロープを掛け渡すべき前記鉄骨材に前記帯状体を引っ掛け、前記基体を前記リング本体から取り外すとともに前記帯状体の挿通部から引き抜き、前記基体に設けられたフックを前記リング本体に引っ掛けて引き寄せることを特徴とする。
【００１１】
この発明によれば、移動足場を設置する際に、高所且つ狭い領域での作業であっても安全に作業ができる。
【００１２】
また、請求項４に記載の移動足場設置方法は、請求項３に記載の移動足場設置方法において、前記帯状体には、前記鉄骨材に接触する面上に突出する突起を更に備え、当該突起は磁性体であり、前記帯状体を前記鉄骨材へ掛け渡す際には、前記突起が下側となるように前記帯状体を配置し、且つ、前記突起を前記帯状体の後方へ配置することを特徴とする。
【００１３】
この発明によれば、移動足場を設置する過程における、帯状体を鉄骨材へ掛け渡す作業を容易に行うことができる。
【発明の効果】
【００１４】
本発明によれば、高所且つ狭い領域であっても、容易、且つ安全に移動足場を設置することができる。また、移動足場を設置する過程における、帯状体を鉄骨材へ掛け渡す作業を容易に行うことができる。
【図面の簡単な説明】
【００１５】
【図１】移動足場の設置状態を示す正面図である。
【図２】図１のＡ−Ａ断面図である。
【図３】移動足場設置用の器具を示し、図３（ａ）は平面図、図３（ｂ）は背面図である。
【図４】リング本体と基体の着脱状態を示す図である。
【図５】移動足場設置用の器具を用いた移動足場設置方法を説明するための図である。
【図６】メインロープの連結状態を示す図である。
【図７】メインロープの他の連結状態を示す図である。
【図８】図１のＸ部分を示す拡大図である。
【図９】移動足場の解体方法を説明するための図である。
【発明を実施するための形態】
【００１６】
以下、本発明の実施形態について図面を用いて説明する。本実施形態は、図１に示すように、主桁２が橋台４に支承５を介して設けられた一般に桁橋と称される構造の橋梁１０に移動足場２０を構築する一例ついて説明する。
【００１７】
なお、本実施形態において、主桁２は、橋板６と橋桁７とを備え、橋板６とは、車両や人などを直接支える路面をつくる板を言い、橋桁７とは、縦桁８と横桁９で構成され、橋板６を支えるものを言う。また、縦桁８は、例えば、Ｉ型鋼で構成され、図２に示すように、下方には内側に突出する突出部８ａを有している。また、横桁９は、例えば、略Ｌ字状に形成された鉄骨材９ａで構成される。この横桁９は、橋板６の長手方向に所定の間隔を有して複数設けられている。さらに、以下に示す環状部材１２、６２、６７は、ステンレス、銅、真鍮、アルミニウム、チタン等で形成される一般的にカラビナと称される部材である。
【００１８】
本実施形態の移動足場２０は、橋梁１０の橋板６を支える橋桁７内に設置されるものであって、橋桁７の幅方向に設けられている横桁９を利用してその下方に設置される。
【００１９】
移動足場２０は、図１に示すように、足場２０ａを設けるべき領域の上方に予め備え付けられた２つの当該鉄骨材９ａ、９ａが選択されて、その両方の鉄骨材９ａに後述する帯状体３３を介在させて、ロープ（以下、「メインロープ１１」と称する。）が掛け渡されて、そのメインロープ１１の両端部が連結され、下側のメインロープ１１に環状部材１２を介して足場用の板（以下、「足場板１５」と称する。）がロープ（以下、「スタティックロープ１７」と称する。）で吊られて足場２０ａが設置される。足場板１５は、左右の縦桁８に掛け渡されて、その端部が縦桁８の突出部８ａに載置されて設けられ、例えば、２つの足場板１５が隣接して設けられる。
【００２０】
このようにして設置された移動足場２０は、足場板１５に検査員が乗り、当該検査員が壁面などの劣化調査をしつつスタティックロープ１７を用いて足場板１５を引き上げて（吊り上げて）移動させることで、足場２０ａを移動することが可能である。検査員はこのようにして足場２０ａを移動させて橋梁１０の劣化検査を行う。
【００２１】
上記作業では、まず、鉄骨材にロープを掛け渡す作業を行う必要があるが、本実施形態において、この作業は、以下に示す器具３０を用いて行われる。
【００２２】
この器具３０は、図３に示すように、略中央又は前方に金属製の板状体が折り返されて形成されるＵ字状のフック３６を備えた所定の長さ（１ｍ〜４ｍ程度）を有する略円柱状に形成された基体３１と、この基体３１に着脱可能に取り付けられる連結部３２ａを備えた金属製（プラスチック製でも可）の環状のリング本体３２と、当該基体３１とメインロープ１１を挿通可能なベルト３４を備えた布製の帯状体３３と、を備えている。
【００２３】
基体３１は、取り回しが楽になるように軽い材質で形成されており、図４に示すように、その先端部３１ａの断面が略半円形状に形成されている。一方、リング本体３２に設けられている連結部３２ａには、当該基体３１の先端部３１ａと嵌合するための凹部３２ｂが形成されている。当該凹部３２ｂの断面形状は、基体３１の先端部３１ａと同形状に形成され、基体３１の先端部３１ａと嵌合可能になっているとともに、基体３１をその凹部３２ｂから抜き差し自由になっている。
【００２４】
なお、本実施形態における基体３１の先端部３１ａの断面形状は、略半円形状に形成されているが、これはリング本体３２が回転しないようにするためであり、すなわち、略半円形状に限られるものではなく、矩形状、多角形状などであっても構わない。さらに、加工を施さず、円形状としても構わない。
【００２５】
また、基体３１に設けられているフック３６には、遠方からの視認性を良好とするために蛍光反射テープが表面に貼着されている。なお、蛍光反射テープの代わりとして、表面に蛍光塗料を塗布しても構わない。
【００２６】
帯状体３３は、所定幅を有する略矩形状の帯本体３３ａと、その帯本体３３ａに設けられるベルト３４と、を備えている。このベルト３４は、帯本体３３ａの幅方向に配置され、その両端部が帯本体３３ａの端部に縫い付けられて設けられており、中間部において、少なくとも基体３１とメインロープ１１を挿入可能な孔部３４ａ（本願の挿通部）を有して形成されている。より具体的には、この孔部３４ａは、指が３本程度挿入可能に形成されていることが好ましい。
【００２７】
また、ベルト３４は、所定の間隔を有して帯本体３３ａの長手方向に複数設けられており、このベルト３４に基体３１とメインロープ１１を挿通した時に、当該基体３１とメインロープ１１が帯本体３３ａの一方の面の長手方向に沿うように配置されるようになっている。
【００２８】
また、帯本体３３ａの一方の長手方向端部（図３上では後方）には、中央に略円柱状の突起３５が設けられている。当該突起３５は、磁石など磁性体であることが好ましい。この磁性体は、例えば、一般にネオジム磁石と称される磁石が用いられ、その吸着力は、一般の磁石よりも数倍の吸引力を有するものである。
【００２９】
次に、上記器具を用いて移動足場を構築する手法について説明する。
【００３０】
まず、図３に示すように、帯状体３３のベルト３４に基体３１を挿通して、その基体３１の先端部に連結部３２ａを介してリング本体３２を取り付け、更に、メインロープ１１をベルト３１に挿通し、挿通したメインロープ１１の一端をリング本体３２に結んで取り付ける。なお、基体３１を帯状体３３のベルト３４に挿入する際には、突起３５が後方（フック３２側）に配置されるようにして基体３１がベルト３４に挿入される。
【００３１】
次に、メインロープ１１を掛け渡すための２つの鉄骨材９ａ、９ａを選択し、図５（ａ）に示すように、ユーザから遠い側の一方の鉄骨材９ａに対して、基体３１の後方を把持して、鉄骨材９ａの上部に、突起３５が設けられている面が下側となるようにして帯状体３３を引っ掛ける。
【００３２】
次に、ユーザによって基体３１がリング本体３２の連結部３２ａから引き抜かれると、図５（ｂ）に示すように、リング本体３２が帯状体３３からぶら下がるようにして鉄骨材９ａの下方に垂れ下がる。
【００３３】
次に、図５（ｃ）に示すように、ユーザが基体３１に設けられたフック３６をリング本体３２に引っ掛けて図５（ｃ）の矢印で示すように手前に引き寄せると、帯状体３３がリング本体３２の移動とともに突起３５が鉄骨材９ａの端部に引っ掛かる（又は磁力によって鉄骨材９ａに吸着する）まで移動し、さらに基体３１を手前に引き寄せることで、帯状体３３は、鉄骨材９ａに巻かれた状態を保持し、メインロープ１１の一端がリング本体３２とともにユーザ側に引き寄せられる。
【００３４】
次に、他方の鉄骨材９ａに帯状体３３を介在させてメインロープ１１の他端を引っ掛けて、当該リング本体３２からメインロープ１１の一端を取り外して、例えば、図６に示すように、メインロープ１１の両端部をエイトノット結び４１にしてそのエイトノット結び４１によって生じるそれぞれのスリング４２を環状部材４３に取り付ける。なお、メインロープ１１の両端部を連結する他の手法として、図７に示すように、メインロープ１１の一方の端部をエイトノット結び４１にしてその結びによって生じるスリング４２を環状部材４３に取り付け、他方の端部近傍をプルージック結び４４にしてその結びによって生じるスリング４５を環状部材４３に取り付けるとともに、メインロープ１１の他方の端部をさらにエイトノット結び４１にしてその結びによって生じるスリング４２を環状部材４３に取り付けるようにしても構わない。後者の手法では、プルージック結び４４としているため、メインロープ１１の緊張状態を調整することが可能となる。
【００３５】
次に、スタティックロープ１７を用意し、図２に示すように、そのスタティックロープ１７の中央部において所定の間隔を有してプルージック結び４４によりスリング４５を形成し、それぞれのスリング４５、４５を環状部材１２を介して下方のメインロープ１１に接続するとともに、当該スタティックロープ１７の両端部を足場板１５の両端部に環状部材５６を介して取り付ける。
【００３６】
また、プルージック結び４４にされた個所の間に有するスタティックロープ１７の一部は環状部材５７にクローブヒッチ結び５８にされる。この環状部材５７には足場引き上げ用として機能するロープ５９が取り付けられ、そのロープ５９は、図１及び図８に示すように、メインロープ１１に取り付けられた滑車付き環状部材６２の滑車６１に掛け渡されて下方に垂れ下がるようにして配置される。このようにして垂れ下がるロープ５９の端部を下側に引くことで、足場板１５を容易に引き上げることが可能であり、足場板１５を移動させることができる。
【００３７】
なお、本実施形態のようにスタティックロープ１７を様々な結び目で結ばずに、単純な結び目で結んで、足場板１５を引き上げるようにしても構わない。この場合、本実施形態のように足場板１５を引き上げるためのロープ５９を滑車６１に掛けて少ない力で足場板１５を引き上げる手法を用いることが好ましい。
【００３８】
なお、ユーザの安全を考慮し、図１及び図８に示すように、作業者確保用のロープ６５を更に備えても良い。このロープ６５は、一端が橋桁などに固定され、中間部でユーザの例えば腰に取り付けられ、他端がメインロープ１１に取り付けられた環状部材６７に取り付けられる。
【００３９】
一方、移動足場２０の解体作業では、足場板１５が取り付けられたスタティックロープ１７が取り付けられた環状部材１２をメインロープ１１から取り外し、当該メインロープ１１の両端部の結束を解除して、メインロープ１１の一方の端部にリング本体３２を取り付けて、他方の端部側を引き寄せることで、図９に示すように、リング本体３２が帯状体３３のベルト３４に引っ掛かり、そのままメインロープ１１とともに帯状体３３を引き寄せることで容易に帯状体３３を回収し、解体することが可能である。
【００４０】
以上説明したように、上記実施形態の移動足場設置用の器具は、後方に板状体が折り返されて形成されるＵ字状のフック３６を備えた基体３１と、この基体３１に着脱可能に取り付けられる環状のリング本体３２と、当該基体３１とメインロープ１１を長手方向に沿うように配置可能であって、これら基体３１とメインロープ１１を挿通可能な孔部３４ａを有する帯状体３３と、を備えている。
【００４１】
また、本実施形態の移動足場設置方法は、橋桁７に予め平行に設けられている鉄骨材９ａの下方に移動足場を設置する方法であって、２つの当該鉄骨材９ａに器具３０を用いてメインロープ１１を掛け渡して当該メインロープ１１の端部を連結し、当該メインロープ１１に当該メインロープ１１上を移動可能な環状部材１２を介してスタティックロープ１７で吊り上げ可能に取り付けられた足場板１５を取り付けるものである。
【００４２】
また、メインロープ１１への掛け渡し作業では、ユーザが基体３１を把持してリング本体３２を先端として帯状体３３を鉄骨材９ａの上方に掛け渡し、基体３１をリング本体３２から取り外した後、フック３６を下方からリング本体３２に係合させて引き寄せる。この時、突起３５が設けられている帯状体３３の端部側を後方として鉄骨材９ａの上方に掛け渡す。
【００４３】
これにより、メインロープ１１を鉄骨材９ａに掛け渡す作業が容易となる。その後、当該メインロープ１１に、スタティックロープ１７で吊られた足場板１５を環状部材１２を介して取り付ける。
【００４４】
このように本発明の移動足場設置方法によれば、器具３０を用いることで容易に移動足場を設置することができる。また、高所且つ狭い領域での作業であっても安全に作業ができる移動足場を設置することができる。
【００４５】
なお、本願は本実施形態に限定されるものではなく、種々の形態にて実施することが可能である。例えば、器具３０の構成部材の材質は本実施形態に限定されるわけではなく、適宜公知部材を用いることができる。また、本実施形態では、ベルト３４を帯本体３３ａの一方の面上に備えて基体３１及びメインロープ１１を挿通可能としたが、２枚の帯を重ね合わせて帯本体３３ａを構成し、その内部を長手方向に基体３１及びメインロープ１１を挿通可能としても構わない。なお、この場合、基体３１やメインロープ１１を上手く挿入できない場合が考えられるので、例えば、環状部材を帯と帯の間に介在させて、当該環状部材に基体３１及びメインロープ１１を通すようにしても良い。また、帯本体３３ａをさらに長く形成する場合、メインロープ１１が帯本体３３ａの摩擦力によって滑りにくくなり作業がスムースに進まないことも考えられるため、帯本体３３ａの長手方向に例えばプラスチック製の部材を配置し、その上にメインロープ１１を配置するようにしても構わない。さらに、本発明は、本実施形態の構造の橋梁に限られるものではなく、他の構造の橋梁などに用いることができる。さらにまた、本実施形態では、メインロープやスタティックロープを様々な結び目で結ぶように構成しているが、必ずしも本実施形態で示される結び方で結ぶ必要性はなく、単にかた結びで結ぶようにしても構わない。
【符号の説明】
【００４６】
９ａ  鉄骨材
１１  メインロープ
１２  環状部材
１５  足場板
１７  スタティックロープ
３０  器具
３１  基体
３２  リング本体
３３  帯状体
３４ａ  孔部
３６  フック
【図１】
0005572357.tif 000002
【図２】
0005572357.tif 000003
【図３】
0005572357.tif 000004
【図４】
0005572357.tif 000005
【図５】
0005572357.tif 000006
【図６】
0005572357.tif 000007
【図７】
0005572357.tif 000008
【図８】
0005572357.tif 000009
【図９】
0005572357.tif 000010